(57)【要約】【課題】赤外線センサを増設する場合において施工性の向上を図ることができるセンサ付き照明装置、及び、センサ付き照明装置の制御方法を提供することにある。【解決手段】赤外線センサで点滅する照明器具が、火災報知器からの火災発生信号を受けたときには赤外線センサの信号の有無にかかわらず照明器具のランプを点灯させるセンサ付き照明装置において、赤外線センサとは異なる別のエリア内の検知対象の存在の有無を検知する別エリア用赤外線センサを設け、この別エリア用赤外線センサの検知対象の検知の有無により別エリア用赤外線センサから信号を受けて開閉するスイッチを火災報知器から制御ユニットまでの火災発生信号の配線経路に直列に設けるとともに、別エリア用赤外線センサが検知対象の存在を有りと検知したときには、別エリア用赤外線センサからの信号を受けてスイッチが前記配線経路を遮断することにより照明器具のランプが点灯する。【選択図】        図１
2004192466.tif 000002
【特許請求の範囲】
【請求項１】
所定のエリア内において検知対象の存在の有無を検知する赤外線センサと、この赤外線センサが取り付けられ赤外線センサが検知対象の存在を有りと検知したときにランプが点灯する照明器具と、火災報知器からの火災発生信号を受けたときには前記赤外線センサの検知対象の検知の有無にかかわらず前記照明器具のランプを点灯させる制御ユニットと、を備えたセンサ付き照明装置において、前記赤外線センサとは異なる別のエリア内の検知対象の存在の有無を検知する別エリア用赤外線センサを設け、この別エリア用赤外線センサの検知対象の検知の有無により別エリア用赤外線センサから信号を受けて開閉するスイッチを前記火災報知器から前記制御ユニットまでの火災発生信号の配線経路に直列に設けるとともに、前記別エリア用赤外線センサが検知対象の存在を有りと検知したときには、別エリア用赤外線センサからの信号を受けて前記スイッチが前記配線経路を遮断することにより前記照明器具のランプが点灯するものであることを特徴とするセンサ付き照明装置。
【請求項２】
前記別エリア用赤外線センサと前記スイッチとを一体に設けたことを特徴とする請求項１記載のセンサ付き照明装置。
【請求項３】
前記制御ユニットは、前記赤外線センサ又は前記別エリア用赤外線センサが、検知対象の存在を検知しないときは、検知対象の存在を有りと検知したときよりも暗い明るさで前記ランプを点灯させるものであることを特徴とする請求項１又は２記載センサ付き照明装置。
【請求項４】
前記照明器具は、階段において用いられる階段用非常灯又は階段用誘導灯であることを特徴とする請求項１乃至３記載のセンサ付き照明装置。
【請求項５】
前記階段用非常灯又は前記階段用誘導灯に取り付けられた赤外線センサは、下階への階段の所定のエリア内における検知対象の存在の有無を検知する下階用赤外線センサと、上階への階段の所定のエリア内における検知対象の存在の有無を検知する上階用赤外線センサと、を備えていることを特徴とする請求項４記載のセンサ付き照明装置。
【請求項６】
所定のエリア内において検知対象の存在の有無を検知する赤外線センサと、この赤外線センサが取り付けられ赤外線センサが検知対象の存在を有りと検知したときにランプが点灯する照明器具と、火災報知器からの火災発生信号を受けたときには前記赤外線センサの検知対象の検知の有無にかかわらず前記照明器具のランプを点灯させる制御ユニットと、を備えたセンサ付き照明装置の制御方法において、前記赤外線センサとは異なる別のエリア内の検知対象の存在の有無を検知する別エリア用赤外線センサを設け、この別エリア用赤外線センサの検知対象の検知の有無により別エリア用赤外線センサから信号を受けて開閉するスイッチを前記火災報知器から前記制御ユニットまでの火災発生信号の配線経路に直列に設けるとともに、前記別エリア用赤外線センサが検知対象の存在を有りと検知したときには、別エリア用赤外線センサからの信号を受けて前記スイッチが前記配線経路を遮断することにより前記照明器具のランプが点灯するように制御することを特徴とするセンサ付き照明装置の制御方法。
【発明の詳細な説明】
【０００１】
【発明の属する技術分野】
本発明は、火災報知機のからの火災発生信号を受けて点灯するセンサ付き照明装置、及び、センサ付き照明装置の制御方法に関する。
【０００２】
【従来の技術】
この種のセンサ付き照明装置であって火災報知機の信号とは連動していない、一般型の照明器具として特開平９−３０４５４８号公報に開示されたものがある。図７は、これに開示された照明器具を建物の階段に配設したものであって建物の断面配置図を示す。この図において階段は第１の踊り場１２ａを介して、ここから下階及び上階と連絡する下階への階段１１ａ及び上階への階段１１ｂと、各階の廊下１４から、階段の入口１０をへて下階への階段１１ａ及び上階への階段１１ｂに夫々進むための第１及び第２の階段室１３ａ，１３ｂとから構成されている。そして、階段の踊り場１２ａの床面から例えば２．５ｍ程度の高さの壁面に照明器具１が配設されている。
【０００３】
照明器具１には、下階への階段１１ａの所定のエリア内における検知対象の存在の有無を検知する下階用赤外線センサ２ａと、上階への階段１１ｂの所定のエリア内における検知対象の存在の有無を検知する上階用赤外線センサ２ｂと、が各々１ケずつ組み込まれている。そして各赤外線センサ２ａ、２ｂは図８に示す検知領域内を水平方向に広がる６本の水平検出ビームと図９に示す検知領域内を鉛直方向に広がる３本の鉛直検出ビームとを有しており、これらのビームを組み合わせて、例えば、下階用赤外線センサ２ｂの場合は、図１０のように階段の検知対象の存在の有無を検知している。
【０００４】
このものは、下階への階段１１ａの所定のエリア内を下階用赤外線センサ２ａで検知し、上階への階段１１ｂの所定のエリア内を上階用赤外線センサ２ｂで検知し、下階用赤外線センサ２ａ又は上階用赤外線センサ２ｂで検知対象の存在を有りと検知したときに照明器具１に設けられたランプが点灯するものである。
【０００５】
次に、前記した照明器具１を火災報知器のからの信号と連動させて動作するようにしたセンサ付き照明装置を説明する。図１１は、このもののブロック配線図であり照明器具１は、前記したものと同様に階段の照明を行なうものとして使われる。
【０００６】
照明器具１は、ランプと、下階用赤外線センサ２ａと、上階用赤外線センサ２ｂと、火災報知器からのＪＩＬ５５０２に基づいた誘導音・点滅信号又は減光信号を受けたときに下階用赤外線センサ２ａと上階用赤外線センサ２ｂからの検知対象の検知の有無にかかわらずランプを点灯させる制御ユニット３と、を備えて構成されている。
【０００７】
このものは、通常時は下階への階段１１ａの所定のエリア内を下階用赤外線センサ２ａで検知し、上階への階段１１ｂの所定のエリア内を上階用赤外線センサ２ｂで検知し、下階用赤外線センサ２ａ又は上階用赤外線センサ２ｂで検知対象の存在を有りと検知したときに照明器具１に設けられたランプが点灯するものである。そして、火災などが発生して火災報知器からのＪＩＬ５５０２に基づいた誘導音・点滅信号又は減光信号を受けた非常時には、下階用赤外線センサ２ａと上階用赤外線センサ２ｂからの検知対象の検知の有無にかかわらずランプを点灯させるものである。
【０００８】
【特許文献１】
特開平９−３０４５４８号公報
【０００９】
【発明が解決しようとする課題】
ところが図１１に示したセンサ付き照明装置は、下階用赤外線センサ２ａと上階用赤外線センサ２ｂの２つの赤外線センサで階段における検知対象の存在の有無を検知するものであるので、階段の形状が幅の広いものや長いものである場合などは、２つの赤外線センサでは検知できないエリアが生じてしまい、検知対象の存在を確実に検知できないことがあった。従って、この場合には、検知できないエリアを補うための赤外線センサを別エリア用赤外線センサとして設ける必要があった。しかし、この別エリア用赤外線センサを設ける場合は、その検知出力を全て照明器具１に配線する必要があり階段の中央部などに設けた場合は、その配線が長いものとなり施工がわずらわしいものになっていた。また、別エリア用赤外線センサの検知出力は照明器具１の下階用赤外線センサ２ａや上階用赤外線センサ２ｂの検出出力と同じ出力で照明器具１の制御ユニット３に送ることが望ましいが、この場合は、通常、小さな信号出力が使われているのでノイズ対策を行なったり、配線距離の長さ指定を行なったり、してノイズに弱いものにならないよう配慮する必要があった。
【００１０】
本発明は、上記事由に鑑みてなしたもので、その目的とするところは、赤外線センサを増設する場合において施工性の向上を図ることができるセンサ付き照明装置、及び、センサ付き照明装置の制御方法を提供することにある。
【００１１】
【課題を解決するための手段】
請求項１に係る発明のセンサ付き照明装置は、所定のエリア内において検知対象の存在の有無を検知する赤外線センサと、この赤外線センサが取り付けられ赤外線センサが検知対象の存在を有りと検知したときにランプが点灯する照明器具と、火災報知器からの火災発生信号を受けたときには前記赤外線センサの検知対象の検知の有無にかかわらず前記照明器具のランプを点灯させる制御ユニットと、を備えたセンサ付き照明装置において、前記赤外線センサとは異なる別のエリア内の検知対象の存在の有無を検知する別エリア用赤外線センサを設け、この別エリア用赤外線センサの検知対象の検知の有無により別エリア用赤外線センサから信号を受けて開閉するスイッチを前記火災報知器から前記制御ユニットまでの火災発生信号の配線経路に直列に設けるとともに、前記別エリア用赤外線センサが検知対象の存在を有りと検知したときには、別エリア用赤外線センサからの信号を受けて前記スイッチが前記配線経路を遮断することにより前記照明器具のランプが点灯するものであることを特徴とする。なお、火災発生信号とは、通常は電圧があって、電圧が切れることによって火災を報知する信号をいう。
【００１２】
請求項２に係る発明のセンサ付き照明装置は、請求項１において、前記別エリア用赤外線センサと前記スイッチとを一体に設けたことを特徴とする。
【００１３】
請求項３に係る発明のセンサ付き照明装置は、請求項１又は２において、前記制御ユニットは、前記赤外線センサ又は前記別エリア用赤外線センサが、検知対象の存在を検知しないときは、検知対象の存在を有りと検知したときよりも暗い明るさで前記ランプを点灯させるものであることを特徴とする。
【００１４】
請求項４に係る発明のセンサ付き照明装置は、請求項１乃至３のいずれかにおいて、前記照明器具は、階段において用いられる階段用非常灯又は階段用誘導灯であることを特徴とする。
【００１５】
請求項５に係る発明のセンサ付き照明装置は、請求項４において、前記階段用非常灯又は前記階段用誘導灯に取り付けられた赤外線センサは、下階への階段の所定のエリア内における検知対象の存在の有無を検知する下階用赤外線センサと、上階への階段の所定のエリア内における検知対象の存在の有無を検知する上階用赤外線センサと、を備えていることを特徴とする。
【００１６】
請求項６に係る発明のセンサ付き照明装置の制御方法は、所定のエリア内において検知対象の存在の有無を検知する赤外線センサと、この赤外線センサが取り付けられ赤外線センサが検知対象の存在を有りと検知したときにランプが点灯する照明器具と、火災報知器からの火災発生信号を受けたときには前記赤外線センサの検知対象の検知の有無にかかわらず前記照明器具のランプを点灯させる制御ユニットと、を備えたセンサ付き照明装置の制御方法において、前記赤外線センサとは異なる別のエリア内の検知対象の存在の有無を検知する別エリア用赤外線センサを設け、この別エリア用赤外線センサの検知対象の検知の有無により別エリア用赤外線センサから信号を受けて開閉するスイッチを前記火災報知器から前記制御ユニットまでの火災発生信号の配線経路に直列に設けるとともに、前記別エリア用赤外線センサが検知対象の存在を有りと検知したときには、別エリア用赤外線センサからの信号を受けて前記スイッチが前記配線経路を遮断することにより前記照明器具のランプが点灯するように制御することを特徴とする。
【００１７】
【発明の実施の形態】
本発明の実施の形態を図１、図２を用いて説明する。図１はセンサ付き照明装置のブロック配線図、図２はこのものの動作を示した説明図である。なお、その他の従来の技術で説明したものと同一の構成部材には同一符号を付すことにより説明を省略する。
【００１８】
このものは、所定のエリア内において検知対象の存在の有無を検知する赤外線センサ２と、この赤外線センサ２が取り付けられ赤外線センサ２が検知対象の存在を有りと検知したときにランプが点灯する照明器具１と、火災報知器１０からの火災発生信号を受けたときには赤外線センサ２の検知対象の検知の有無にかかわらず照明器具１のランプを点灯させる制御ユニット３と、を備えて構成されている。
【００１９】
照明器具１は、ランプと、赤外線センサ２と、火災報知器１０からの火災発生信号すなわちＪＩＬ５５０２に基づいた誘導音・点滅信号又は減光信号を受けたときに赤外線センサ２からの検知対象の検知の有無にかかわらずランプを点灯させる制御ユニット３と、を備えている。そして、照明器具１は、図９や図１０に示したように階段の踊り場１２ａの床面から例えば２．５ｍ程度の高さの壁面に配設されており、いわゆる階段通路誘導灯や階段通路非常灯として使用される。
【００２０】
赤外線センサ２は、下階への階段１１ａの所定のエリア内における検知対象の存在の有無を検知する下階用赤外線センサ２ａと、上階への階段１１ｂの所定のエリア内における検知対象の存在の有無を検知する上階用赤外線センサ２ｂと、を備えて構成されている。そして各赤外線センサ２ａ、２ｂは図７に示す検知領域内を水平方向に広がる６本の水平検出ビームＸと図８に示す検知領域内を鉛直方向に広がる３本の鉛直検出ビームＹとを有しており、これらのビームを組み合わせて、例えば、下階用赤外線センサ２ｂの場合は、図９のように階段における検知対象の存在の有無を検知している。そして、下階用赤外線センサ２ａ又は上階用赤外線センサ２ｂは、検知対象の存在を有りと検知したときに、検知した赤外線センサ２から制御ユニット３にランプの点灯信号が出力される。
【００２１】
制御ユニット３は、下階用赤外線センサ２ａや上階用赤外線センサ２ｂからのランプの点灯信号や、火災報知器１０からの火災発生信号を処理してランプを点灯させるものである。すなわち制御ユニット３は、通常時は下階用赤外線センサ２ａ又は上階用赤外線センサ２ｂからのランプの点灯信号を受けてランプをさせ、火災発生時つまり火災報知器１０からの火災発生信号を受けたときには下階用赤外線センサ２ａや上階用赤外線センサ２ｂからのランプの点灯信号の有無にかかわらずランプを点灯させるものとなっている。
【００２２】
火災報知器１０は、ビルなどの建物に設置されたもので、火災発生時にＪＩＬ５５０２に基づいた誘導音・点滅信号又は減光信号などの火災発生信号を発生させるものである。この誘導音・点滅信号又は減光信号は、通常時はＡＣ１００ＶやＤＣ２４Ｖを出力し、火災発生時はその電圧を０Ｖにするものであり、配線経路４によって制御ユニット３に接続されている。
【００２３】
ここで配線経路４は、建物内において予め誘導灯や非常灯などの災害時に動作する設備に対して配線されているものであり。例えば、階段では、その側壁などに配線されている。なお、火災報知器１０には、火災発生時に小さな信号のみを出力し、それを別に設けられた誘導灯信号発生装置が受けて前記した誘導音・点滅信号又は減光信号を発生させるものもあるがこの場合でも同じものとなる。
【００２４】
ここで重要なことは、赤外線センサ２（下階用赤外線センサ２ａや上階用赤外線センサ２ｂ）とは異なる別のエリア内の検知対象の存在の有無を検知する別エリア用赤外線センサ５を設け、この別エリア用赤外線センサ５の検知対象の検知の有無により別エリア用赤外線センサ５から信号を受けて開閉するスイッチ６を火災報知器１０から制御ユニット３までの火災発生信号の配線経路４に直列に設けるとともに、別エリア用赤外線センサ５が検知対象の存在を有りと検知したときには、別エリア用赤外線センサ５からの信号を受けてスイッチ６が配線経路４を遮断することにより照明器具１のランプが点灯するようにしたことである。
【００２５】
これを詳しくのべると、別エリア用赤外線センサ５は、例えば市販されている赤外線センサでありＡＣ１００Ｖを入り切りできるスイッチ、詳しくは、検知対象の存在を有りと検知したときに回路が閉じる所謂Ａ接点式のスイッチ５ａを備えたものである。そして、この別エリア用赤外線センサ５は、下階用赤外線センサ２ａや上階用赤外線センサ２ｂでは、検知対象を検知しにくかった、階段の階段室への出入り口つまり図３のＸで示したような箇所が検知できるように階段の側壁上部に取り付けられている。
【００２６】
スイッチ６は、例えばＡＣ１００ＶやＤＣ２４Ｖを接点で入り切りできる市販のリレーであり、リレーの一次コイルに電圧が印加されるとＡＣ１００ＶやＤＣ２４Ｖを遮断する所謂Ｂ接点を備えたものである。
【００２７】
そして、スイッチ６（リレー）のＢ接点を配線経路４に直列に設け、リレーの一次コイルの片側をＡＣ１００Ｖにもう一方を別エリア用赤外線センサ５内のスイッチ５ａに接続している。なお、ここで配線経路４は別エリア用赤外線センサ５やスイッチ６を取り付ける近辺のものを使用すればよい。
【００２８】
このように構成されたセンサ付き照明装置は、通常時においては、下階への階段１１ａの所定のエリア内を下階用赤外線センサ２ａで検知し、上階への階段１１ｂの所定のエリア内を上階用赤外線センサ２ｂで検知し、下階用赤外線センサ２ａ又は上階用赤外線センサ２ｂで検知対象の存在を有りと検知したときに検知した赤外線センサから制御ユニット３にランプの点灯信号が出力される。そして制御ユニット３は、この点灯信号を受けてランプを点灯させる。
【００２９】
また、下階用赤外線センサ２ａや上階用赤外線センサ２ｂでは、検知対象を検知しにくかった箇所、ここでは、階段の階段室への出入り口Ｘに検知対象が来たときは、別エリア用赤外線センサ５が検知対象の存在を有りと検知しスイッチ５ａを閉じる。これによりＡＣ１００Ｖの電圧がスイッチ６（リレー）の一次コイルに印加され、スイッチ６（リレー）は、その接点を開き、配線経路４を遮断するものとなる。そして、配線経路４が遮断されると制御ユニット３への電圧が０Ｖとなり、所謂、火災発生時に発生するＪＩＬ５５０２に基づいた誘導音・点滅信号又は減光信号などの火災発生信号が出力されたものと同じことになり、照明器具１のランプが点灯する。そして検知対象が階段の階段室への出入り口Ｘから移動し、別エリア用赤外線センサ５が検知対象の存在を検知しなくなると別エリア用赤外線センサ５のスイッチ５ａが開き、スイッチ６が再び閉じることになるので照明器具１のランプは、消灯することになる。
【００３０】
その他、図１で示したセンサ付き照明装置の詳細な動作は、図２に示すとおりである。
【００３１】
なお、図４に示したもののように別エリア用赤外線センサ５とスイッチ６を一つの箱の中で一体に設けたものでもよく、この場合は、予め別エリア用赤外線センサ５とスイッチ６との配線が工場などで施されているので、現場での施工がより簡単にできるものとなる。また、図６で示したもののように、別エリア用赤外線センサ５にスイッチ６が内蔵されており、これが検知対象の存在を有りと検知したときには、スイッチ６が配線経路４を遮断するものであってもよい。
【００３２】
なお、このときスイッチ６や別エリア用赤外線センサ５にタイマー回路などの保持回路を設けておけば、検知対象が階段の階段室への出入り口Ｘから移動し、別エリア用赤外線センサ５が検知対象の存在を検知しなくなってからもしばらくはスイッチ６が開いたままとなるので、配線経路４は遮断されたままとなりランプも同様にしばらくは点灯を継続するものとなる。
【００３３】
ここでは、別エリア用赤外線センサ５がひとつの場合を説明したが、さらに検知範囲を増やしたい場合は、図５（ａ）や図５（ｂ）のように別エリア用赤外線センサ５を増設すればよい。図５（ａ）のものは、別エリア用赤外線センサ５に送り機能があるもので、増設した別エリア用赤外線センサ５も含めていずれかの別エリア用赤外線センサ５が検知対象の存在を有りと検知すれば、スイッチ６（リレー）の接点が開くものである。また、図５（ｂ）のものは、図１を用いて説明したスイッチ６と別エリア用赤外線センサ５を２セット設けたもので、スイッチ６（リレー）の接点を配線経路４に対して２つ直列に配線している。
【００３４】
このように別エリア用赤外線センサ５を増設すれば、図１で説明した階段の階段室への出入り口Ｘ以外の検知エリアとして、例えば、階段の踊り場１２ａの下階までの中間部分もなども検知することができ、この場合は別エリア用赤外線センサ５を階段の途中の側壁に取り付け、この付近に配線されている配線経路４にスイッチ６を直列に配線すればよい。これにより新たに照明器具１までの配線を施すことなく、複数の別エリア用赤外線センサ５を増設することができるものとなる。
【００３５】
なお、ここでは照明器具１を階段に設けた階段通路誘導灯や階段通路非常灯で説明したが、照明器具１は、建物の部屋の中を照明する誘導灯や非常灯であってもよい。
【００３６】
この実施の形態によると、赤外線センサ２とは異なる別のエリア内の検知対象の存在の有無を検知する別エリア用赤外線センサ５を設け、この別エリア用赤外線センサ５の検知対象の検知の有無により別エリア用赤外線センサ５から信号を受けて開閉するスイッチ６を火災報知器１０から制御ユニット３までの火災発生信号の配線経路４に直列に設けるとともに、別エリア用赤外線センサ５が検知対象の存在を有りと検知したときには、別エリア用赤外線センサ５からの信号を受けてスイッチ６が配線経路４を遮断することにより照明器具１のランプが点灯するものとしたことにより、別エリア用赤外線センサ５やスイッチ６を新たに設ける際に、スイッチ６を、すでに配線されているものでなるべく近い配線経路４に配線すればよいものとなるので、別エリア用赤外線センサ５やスイッチ６の信号を照明器具１まで配線する必要のないものとなり、赤外線センサを増設する場合において施工性の向上を図ることができるものとなる。
【００３７】
また、別エリア用赤外線センサと前記スイッチとを一体に設けることにより、現場での別エリア用赤外線センサ５とスイッチ６との配線が不要となるので、施工がより簡単にできるものとなる。
【００３８】
また、制御ユニット３が赤外線センサ２又は別エリア用赤外線センサ５が、検知対象の存在を検知しないときは、検知対象の存在を有りと検知したときよりも暗い明るさでランプを点灯させるものであることにより、これから進入する場所が真っ暗であることがなくなるので不安なく入ることができる。
【００３９】
また、照明器具１が階段において用いられる場合は、照明器具１に取り付けられた赤外線センサ２だけでは、上下左右に広がる階段の空間の大部分を検知することが難しいので、照明器具１が階段用非常灯又は階段用誘導灯である場合は、別エリア用赤外線センサ５が増設する機会が増えるので、より有用なものとなる。
【００４０】
また、階段用非常灯又は前記階段用誘導灯が下階への階段の所定のエリア内における検知対象の存在の有無を検知する下階用赤外線センサ２ａと、上階への階段の所定のエリア内における検知対象の存在の有無を検知する上階用赤外線センサ２ｂと、を備えているものの場合は、上下左右に広がる階段の空間の大部分を検知することがさらに難しいものとなるので、別エリア用赤外線センサ５が増設する機会がさらに増えるので、特に、有用なものとなる。
【００４１】
【発明の効果】
請求項１記載の発明にあっては、所定のエリア内において検知対象の存在の有無を検知する赤外線センサと、この赤外線センサが取り付けられ赤外線センサが検知対象の存在を有りと検知したときにランプが点灯する照明器具と、火災報知器からの火災発生信号を受けたときには前記赤外線センサの検知対象の検知の有無にかかわらず前記照明器具のランプを点灯させる制御ユニットと、を備えたセンサ付き照明装置において、前記赤外線センサとは異なる別のエリア内の検知対象の存在の有無を検知する別エリア用赤外線センサを設け、この別エリア用赤外線センサの検知対象の検知の有無により別エリア用赤外線センサから信号を受けて開閉するスイッチを前記火災報知器から前記制御ユニットまでの火災発生信号の配線経路に直列に設けるとともに、前記別エリア用赤外線センサが検知対象の存在を有りと検知したときには、別エリア用赤外線センサからの信号を受けて前記スイッチが前記配線経路を遮断することにより前記照明器具のランプが点灯するものであることにより、別エリア用赤外線センサやスイッチを新たに設ける際に、スイッチを、すでに配線されているものでなるべく近い配線経路に配線すればよいものとなるので、別エリア用赤外線センサやスイッチの信号を照明器具まで配線する必要のないものとなり、赤外線センサを増設する場合において施工性の向上を図ることができるものとなる。
【００４２】
請求項２記載の発明にあっては、前記別エリア用赤外線センサと前記スイッチとを一体に設けたことにより、請求項１に記載した効果を奏するうえに、現場での別エリア用赤外線センサとスイッチとの配線が不要となるので、施工がより簡単にできるものとなる。
【００４３】
請求項３記載の発明にあっては、前記制御ユニットは、前記赤外線センサ又は前記別エリア用赤外線センサが、検知対象の存在を検知しないときは、検知対象の存在を有りと検知したときよりも暗い明るさで前記ランプを点灯させるものであることにより、請求項１又は２に記載した効果を奏するうえに、これから進入する場所が真っ暗であることがなくなるので不安なく入ることができる。
【００４４】
請求項４記載の発明にあっては、前記照明器具は、階段において用いられる階段用非常灯又は階段用誘導灯であることにより、請求項１乃至３のいずれかに記載の効果を奏するうえに、別エリア用赤外線センサが増設する機会が増えるので、より有用なものとなる。
【００４５】
請求項５記載の発明にあっては、前記階段用非常灯又は前記階段用誘導灯に取り付けられた赤外線センサは、下階への階段の所定のエリア内における検知対象の存在の有無を検知する下階用赤外線センサと、上階への階段の所定のエリア内における検知対象の存在の有無を検知する上階用赤外線センサと、を備えていることにより、請求項４に記載した効果を奏するうえに、別エリア用赤外線センサが増設する機会がさらに増えるので、さらに、より有用なものとなる。
【００４６】
請求項６記載の発明にあっては、所定のエリア内において検知対象の存在の有無を検知する赤外線センサと、この赤外線センサが取り付けられ赤外線センサが検知対象の存在を有りと検知したときにランプが点灯する照明器具と、火災報知器からの火災発生信号を受けたときには前記赤外線センサの検知対象の検知の有無にかかわらず前記照明器具のランプを点灯させる制御ユニットと、を備えたセンサ付き照明装置の制御方法において、前記赤外線センサとは異なる別のエリア内の検知対象の存在の有無を検知する別エリア用赤外線センサを設け、この別エリア用赤外線センサの検知対象の検知の有無により別エリア用赤外線センサから信号を受けて開閉するスイッチを前記火災報知器から前記制御ユニットまでの火災発生信号の配線経路に直列に設けるとともに、前記別エリア用赤外線センサが検知対象の存在を有りと検知したときには、別エリア用赤外線センサからの信号を受けて前記スイッチが前記配線経路を遮断することにより前記照明器具のランプが点灯するように制御することにより、別エリア用赤外線センサやスイッチを取り付ける際に照明器具までの新たな配線を施す必要のないものとなり、また、スイッチは、すでに配線されているものでなるべく近い配線経路までの配線を施せばよいものとなるので、赤外線センサを増設する場合において施工性の向上を図ることができるものとなる。
【図面の簡単な説明】
【図１】本発明の実施の形態に係るセンサ付き照明装置のブロック配線図である。
【図２】同上のセンサ付き照明装置の動作を示した説明図である。
【図３】同上のセンサ付き照明装置の照明器具に取り付けられた赤外線センサでは、検知できないエリアを説明するための階段の立体図である。
【図４】同上のセンサ付き照明装置の別エリア用赤外線センサとスイッチとを一体にした要部を示す配線図である。
【図５】同上のセンサ付き照明装置の別エリア用赤外線センサを増設したときの図で、図５（ａ）は別エリア用赤外線センサ５に送り機能がある場合の別エリア用赤外線センサとスイッチとを示した要部配線図、図５（ｂ）は図１を用いて説明したスイッチと別エリア用赤外線センサを２セット設けたときの要部配線図である。
【図６】同上のセンサ付き照明装置の別エリア用赤外線センサにスイッチが内蔵された場合のブロック配線図である。
【図７】従来例に係るセンサ付き照明装置が用いられる建物の断面配置図を示す。
【図８】同上のセンサ付き照明装置が設置された建物の階段部分の平面配置図である。
【図９】同上のセンサ付き照明装置が設置された建物の階段部分の断面配置図である。
【図１０】同上のセンサ付き照明装置が設置された建物の階段部分の立体図である。
【図１１】同上のセンサ付き照明装置のブロック配線図である。
【符号の説明】
１      照明器具
２      赤外線センサ
２ａ    下階用赤外線センサ
２ｂ    上階用赤外線センサ
３      制御ユニット
４      配線経路
５      別エリア用赤外線センサ
６      スイッチ
１０    火災報知器
【図１】
2004192466.tif 000003
【図２】
2004192466.tif 000004
【図３】
2004192466.tif 000005
【図４】
2004192466.tif 000006
【図５】
2004192466.tif 000007
【図６】
2004192466.tif 000008
【図７】
2004192466.tif 000009
【図８】
2004192466.tif 000010
【図９】
2004192466.tif 000011
【図１０】
2004192466.tif 000012
【図１１】
2004192466.tif 000013